(57)【特許請求の範囲】
【請求項１】
電子ショッピングモールを介して、第１のクレジットカードの第１のクレジットカード会員による商品購入の申請を受信する受信手段と、
前記第１のクレジットカード会員にデータを介して紐付けられた、第２のクレジットカードの第２のクレジットカード会員が利用する第２のコンピュータに、前記商品購入の申請内容を通知する申請内容通知手段であって、前記第２のクレジットカードは、前記第１のクレジットカードとは別に契約されたものである、申請内容通知手段と、
前記第２のクレジットカード会員によって、前記申請内容が承認されたかどうかを判定する判定手段と、
前記申請内容が承認された場合に、前記第２のクレジットカードに係るデータおよび前記申請内容に基づいて決済処理を行なう決済処理手段と
を備えたことを特徴とする決済システム。
【請求項２】
前記電子ショッピングモールはクレジットカード会員のみが利用でき、
前記申請内容通知手段は、前記第１のクレジットカード会員が利用する第１のコンピュータからのメッセージを受信し、前記電子ショッピングモールが提供する内容確認画面のＵＲＬを記述した電子メールを送信することにより、前記第２のコンピュータに前記申請内容を通知し、
前記第２のクレジットカード会員は、前記内容確認画面に対して前記申請内容を承認するか否かを入力することを特徴とする請求項１に記載の決済システム。
【請求項３】
前記電子ショッピングモールはクレジットカード会員のみが利用でき、
前記決済処理が完了した後に、クレジットカードの加盟店が利用する第３のコンピュータへ注文情報を送信する注文情報送信手段と、
前記第３のコンピュータから受信した発送情報を、前記電子ショッピングモールを介して前記第２のコンピュータへ通知する発送情報通知手段と
をさらに備えたことを特徴とする請求項１または２に記載の決済システム。
【請求項４】
前記電子ショッピングモールはクレジットカード会員のみが利用でき、
前記判定手段は、前記申請内容が不承認だった場合に、前記第１のクレジットカード会員が利用する第１のコンピュータに承認結果を、前記電子ショッピングモールを介して通知することを特徴とする請求項１乃至３のいずれか１項に記載の決済システム。
【請求項５】
前記第１のクレジットカードのクレジットカード番号と、前記第２のクレジットカードのクレジットカード番号を紐付けて記憶する記憶手段をさらに備えたことを特徴とする請求項１乃至４のいずれか１項に記載の決済システム。
【請求項６】
前記判定手段は、前記第２のクレジットカード会員による承認結果に基づいて、前記申請のステータスを更新することを特徴とする請求項１乃至５のいずれか１項に記載の決済システム。
【請求項７】
コンピュータを請求項１乃至６のいずれか１項に記載の決済システムとして機能させるためのプログラム。
【請求項８】
コンピュータによって実行される決済方法であって、
電子ショッピングモールを介して、第１のクレジットカードの第１のクレジットカード会員による商品購入の申請を受信するステップと、
前記第１のクレジットカード会員にデータを介して紐付けられた、第２のクレジットカードの第２のクレジットカード会員が利用する第２のコンピュータに、前記商品購入の申請内容を通知するステップであって、前記第２のクレジットカードは、前記第１のクレジットカードとは別に契約されたものである、ステップと、
前記第２のクレジットカード会員によって、前記申請内容が承認されたかどうかを判定するステップと、
前記申請内容が承認された場合に、前記第２のクレジットカードに係るデータおよび前記申請内容に基づいて決済処理を行なうステップと
を含むことを特徴とする決済方法。
【発明の詳細な説明】
【技術分野】
【０００１】
本発明は、クレジットカードを利用した決済システム、決済方法及びプログラムに関する。
【背景技術】
【０００２】
従来、クレジットカード会社は、クレジットカードの会員（以下、クレジット会員とも呼ぶ）を獲得するために様々な取組みを行っている。
【０００３】
一般に、クレジットカードを最初に作るのは、１８歳〜２２歳の大学生が大きな割合を占めており、大学生のような若年層の新規顧客の獲得が、クレジットカード会社にとって重要な課題となっている。クレジットカード会社は、例えば、大学生に自社の学生向けクレジットカードをアピールするために、前年１回以上の利用で年会費を無料にしたり、クレジットカードを利用した際に付与されるポイントを通常のクレジットカードの２倍にしたりしている。このような取組みは、クレジットカード会社各社で行われており、若年層の会員獲得競争はますます激しくなっている。
【発明の概要】
【発明が解決しようとする課題】
【０００４】
若年層である大学生は、生計の手段が限られ、経済的に親に依存する割合が高く、親の意見やアドバイスに従うことも多いため、大学生本人だけでなく、親に対しても自社のクレジットカードをアピールすることで、大学生の会員獲得が期待できる。
【０００５】
例えば、親は、子供が親元を離れて一人暮らしをしている場合、仕送りなどの経済的援助をしていることが多い。そのような場合、親は、仕送りを必要な分だけにしたり、経済的援助だけでなく、子供の近況を把握し、子供とのコミュニケーションを取ったりすることを望んでいる。一方、子供である大学生は、臨時の出費があった場合などに、親に援助を依頼することもある。
【０００６】
しかしながら、従来のクレジットカードを利用した決済システムでは、そのようなニーズに対処し、クレジットカードの利用を促すような仕組みを提供することができていなかった。
【０００７】
本発明は、このような課題に鑑みてなされたものであり、その目的とするところは、上述したような親子のニーズに対処することのできるクレジットカードを利用した決済システム、決済方法及びプログラムを提供することにある。
【課題を解決するための手段】
【０００８】
このような目的を達成するために、本発明の一実施形態に係る決済システムは、電子ショッピングモールを介して、第１のクレジットカード会員による商品購入の申請を受信する受信手段と、第１のクレジットカード会員に紐付けられた第２のクレジットカード会員の端末に、商品購入の申請内容を通知する申請内容通知手段と、第２のクレジットカード会員によって、申請内容が承認されたかどうかを判定する判定手段と、申請内容が承認された場合に、第２のクレジットカード会員のクレジットカードで決済処理を行なう決済処理手段を備えたことを特徴とする。
【０００９】
また、本発明の一実施形態に係る決済方法は、電子ショッピングモールを介して、第１のクレジットカード会員による商品購入の申請を受信するステップと、第１のクレジットカード会員に紐付けられた第２のクレジットカード会員の端末に、商品購入の申請内容を通知するステップと、第２のクレジットカード会員によって、申請内容が承認されたかどうかを判定するステップと、申請内容が承認された場合に、第２のクレジットカード会員のクレジットカードで決済処理を行なうステップとを含むことを特徴とする。
【発明の効果】
【００１０】
本発明によると、上述したような親子のニーズに対処することで、大学生のような若年層のクレジットカード会員獲得を図ることができる。
【図面の簡単な説明】
【００１１】
【図１】本発明の一実施形態に係るクレジットカードを利用した決済処理を実装するシステム環境を示す図である。
【図２】本発明の一実施形態に係る決済システムの機能構成を示す図である。
【図３】本発明の一実施形態に係るデータベースの構成例を示す図である。
【図４】本発明の一実施形態に係る決済処理のフロー図である。
【図５】本発明の一実施形態に係る購入申請画面を示す図である。
【図６】本発明の一実施形態に係る申請内容確認画面を示す図である。
【図７】本発明の一実施形態に係る承認画面を示す図である。
【発明を実施するための形態】
【００１２】
以下に、図面を参照しながら、本発明の実施形態について詳細に説明する。なお、複数の図面において同一の符号は同一物を表し、その繰り返しの説明は省略する。
【００１３】
図１は、本発明の一実施形態に係るクレジットカードを利用した決済処理を実装するシステム環境を示す図である。
【００１４】
端末１０１は、インターネットなどのネットワーク１０２を介して、ＷＥＢサーバ１０３にアクセスすることができる。端末１０１を利用するクレジット会員は、端末１１１にインストールされたブラウザソフトを利用して、ＷＥＢサーバ１０３が提供する電子ショッピングモールを利用することができる。電子ショッピングモールは、クレジットカード会社が製作・運営する専用モールであり、クレジット会員のみが利用できる。例えば、クレジット会員は、ＷＥＢサーバ１０１が提供するユーザ認証画面に所定のログインＩＤ及びパスワードを入力し、認証されることで、電子ショッピングモールを利用することができる。電子ショッピングモールでは、クレジットカードの複数の加盟店からの商品が出品され、販売されている。好ましくは、出品・販売される商品は、大学生活に必要な物のみが対象となり、本電子ショッピングモールを安心して利用することができるようになっている。
【００１５】
ＷＥＢサーバ１０３は、更に、決済システム１０４に接続され、電子ショッピングモール上で受け付けた端末１０１からの商品購入の申請を、決済システム１０４に送信する。決済システム１０４は、クレジットカード会社のホストシステム内に実装されたクレジットカードの決済システムである。
【００１６】
決済システム１０４は、電子ショッピングモールから商品購入の申請を受信すると、端末１０６に対して商品購入の申請があったことを通知する。
【００１７】
また、決済システム１０４は、オーソリシステム１０５と通信し、クレジットカードによる支払いの認証処理を行う。オーソリシステムとは、商品やサービスの購入代金の支払いが可能であるかどうかのオーソリゼーション（与信照会、信用承認）を行なうシステムである。例えば、加盟店でクレジットカードが使用された場合は、加盟店に設置された端末（カード読取り機）との間で通信し、支払い代金のオーソリゼーションを行ない、その結果を加盟店端末へ通知する。なお、本発明では、電子ショッピングモールから受け付けた商品の代金決済を行なうためにオーソリゼーションを行なう。
【００１８】
また、決済システム１０４は、インターネットや専用回線などのネットワーク１１０を介して、複数の加盟店端末１０７、１０８、１０９と接続されている。オーソリシステム１０５で代金の支払いが承認されると、決済システム１０４は、購入対象の商品を販売・出品している所定の加盟店端末へ注文情報を送信する。加盟店は注文情報を受け付けると、指定送付先へ商品を発送する。商品の発送情報は決済システム１０４へ送信され、決済システム１０４は、端末１０６に商品の発送を通知する。商品の発送通知は、登録された電子メールアドレス宛に電子メールを送信して行なってもよいし、電子ショッピングモール上で行なってもよい。
【００１９】
なお、端末１０１、１０６は、パーソナルコンピュータや、携帯電話、スマートフォン、タブレット端末などの携帯端末とすることができる。
【００２０】
また、ＷＥＢサーバ１０３、決済システム１０４、オーソリシステム１０５は、１つまたは複数のコンピュータによって構成される。
【００２１】
以上、本発明の一実施形態に係るシステム環境について説明したが、本発明を実施することのできるシステム環境はこれに限定されるものではない。
【００２２】
次に、図２を参照して、本発明の一実施形態に係る決済システム１０４の機能構成について説明する。以下に説明する各機能は、決済システム１０４を構成するコンピュータの記憶装置またはメモリに記憶されたコンピュータプログラムを、当該コンピュータの処理装置が読み出し、実行することによって実現される。
【００２３】
決済システム１０４は、申請受信部２０１、申請内容通知部２０３、承認結果判定部２０５、注文情報送信部２０７、発送情報受信部２０９、発送情報通知部２１０を備える。また、決済システム１０４は、クレジットカードの会員情報を記憶する会員情報データベース（ＤＢ）２１１、電子ショッピングモール上で受け付けた商品購入の申請内容を記憶する申請内容ＤＢ２１２、あるクレジット会員と別のクレジット会員とを紐付ける紐付けＤＢ２１３、電子ショッピングモール上で提供される商品の情報を記憶する商品情報ＤＢ２１５等を備える。
【００２４】
申請受信部２０１は、端末１０１からＷＥＢサーバ１０３を介して商品の申請を受信する。具体的には、端末１０１を利用するクレジット会員（例えば、大学生である子供）が、ＷＥＢサーバ１０３によって提供される電子ショッピングモール上で選択した商品の購入申請を受け付ける。申請の内容は、申請内容ＤＢ２１２に記憶される。
【００２５】
申請内容通知部２０３は、申請内容ＤＢ２１２に記憶された申請の内容を、紐付けＤＢ２１３を参照して特定された、申請を行なったクレジット会員に紐付けられている別のクレジット会員（例えば、商品購入の申請を行なったクレジット会員の親）の端末１０６に通知する。具体的には、端末１０６に対して、電子ショッピングモールが提供する申請内容確認画面のＵＲＬを記述した電子メールを送信することで申請内容を通知する。送信先の電子メールアドレスは、会員情報ＤＢ２１１から取得する。通知を受けた端末１０６の利用者であるクレジット会員は、電子メールに記述されたＵＲＬにアクセスすることで申請内容を確認し、商品購入の申請を承認するか否かを申請内容確認画面に対して入力する。
【００２６】
承認結果判定部２０５は、端末１０６から申請内容の承認結果を受信し、端末１０６のユーザが申請内容を承認したかどうか判定する。また、承認結果判定部２０５は、承認結果に基づいて、申請内容ＤＢ２１２に記憶された申請内容のステータスを更新する。
【００２７】
決済処理部２０６は、申請された内容で注文の代金の決済を行なうために、端末１０６のクレジット会員のクレジットカード情報をオーソリシステム１０５に送信する。決済処理部２０６は、オーソリシステム１０５からオーソリ結果を受信し、クレジットカードの利用が承認されると、決済処理を行う。
【００２８】
注文情報送信部２０７は、決済処理が完了した後に、承認された申請内容に基づいて、注文情報を販売店（加盟店端末）に送信する。
【００２９】
発送情報受信部２０９は、販売店（加盟店端末）から、商品の発送を行なった旨の通知を受信する。発送情報受信部２０９が商品の発送情報を受信すると、発送情報通知部２１０が、端末１０６に商品が発送された旨を通知する。一実施形態では、発送情報通知部２１０は、端末１０１にも商品の発送を通知してもよい。
【００３０】
会員情報ＤＢ２１１は、図３（ａ）に例示するように、クレジット会員のクレジットカード番号、氏名、年齢、住所、電子メールアドレス等の会員情報を記憶する。
【００３１】
申請内容ＤＢ２１２は、端末１０１から受け付けた商品の申請内容を記憶する。商品の申請内容には、図３（ｂ）に例示するように、申請者名、申請者のクレジットカード番号、商品識別コード（ＩＤ）、商品名、代金、ステータス、商品の送付先、被申請者に対するメッセージ等が含まれる。申請内容のステータスは、被申請者（例えば、申請者の親）による承認、不承認（却下）、検討中などの承認結果を表す。
【００３２】
紐付けＤＢ２１３は、図３（ｃ）に例示するように、あるクレジット会員のクレジットカード番号（申請者クレジットカード番号）と、別のクレジット会員のクレジットカード番号（被申請者クレジットカード番号）とを関連付けて記憶する。例えば、大学生である子供のクレジットカードのクレジットカード番号と、親のクレジットカードのクレジットカード番号を紐付けて記憶する。クレジットカード番号の紐付けは、クレジット会員（子供または親）の申請によって行なわれる。また、図３（ｃ）では、１組のクレジットカード番号を紐付けているが、１つの申請者クレジットカード番号に、複数の被申請者クレジットカード番号を紐付けて記憶してもよい。
【００３３】
商品情報ＤＢ２１５は、ＷＥＢサーバ１０３が提供する電子ショッピングモール上で販売される商品の情報を記憶する。例えば、商品の情報には、図３（ｄ）に例示するように、商品識別コード（ＩＤ）、商品名、その商品を販売する販売店（クレジットカードの加盟店）の情報などが含まれる。
【００３４】
以上、本発明の一実施形態に係る決済システム１０４の機能構成について説明したが、決済システム１０４の機能構成はこれに限定されるものではなく、その他の機能構成要素を備えてもよい。
【００３５】
次に、図４を参照して、本発明の一実施形態に係るクレジットカードを利用した決済方法について説明する。図４に示した本発明の一実施形態に係る決済処理のフローは、決済システム１０４によって実行される。以下の説明では、クレジット会員Ａ（以下、会員Ａと呼ぶ）からの商品購入の申請を、クレジット会員Ｂ（以下、会員Ｂと呼ぶ）が承認し、会員Ｂのクレジットカードで商品の代金の決済を行なうものとする。また、会員Ａからの申請を受け付ける前に、事前に、会員Ａと会員Ｂが紐付けられ、紐付けＤＢ２１３に記憶されていることとする。
【００３６】
まず、ステップＳ４０１において、決済システム１０４の申請受信部２０１が、ＷＥＢサーバ１０３が提供する電子ショッピングモールを介して、会員Ａによる商品購入の申請を端末１０１から受信する。
【００３７】
図５は、会員Ａの端末１０１に表示される商品購入の申請画面５０１を示す。会員Ａは、申請画面５０１において購入対象の商品５０２と、会員Ｂに対して入力したメッセージ５０３を確認すると、申請ボタン５０４を押下する。申請ボタン５０４が押下されると、端末１０１には図６に示した申請内容確認画面６０１が表示され、会員Ａは注文内容６０２を確認すると、確定ボタン６０３を押下する。注文内容６０２には、注文者情報として会員Ａの情報と、購入者情報として会員Ａに紐付けられた会員Ｂの情報と、会員Ａが指定した商品の送付先が含まれる。確定ボタン６０３が押下されると、商品購入の申請が、端末１０１から電子ショッピングモールを介して決済システム１０４に送信される。
【００３８】
次いで、ステップＳ４０３において、決済システム１０４の申請内容通知部２０３が、紐付けＤＢ２１３において会員Ａに紐付けられた会員Ｂに、申請内容を通知する。例えば、申請内容通知部２０３は、会員Ｂが利用する端末１０６に対して、電子ショッピングモールが提供する申請内容通知画面のＵＲＬを記述した電子メールを送信することで、申請内容を通知する。
【００３９】
図７は、会員Ｂの端末１０６に表示される申請内容通知画面７０１を示す。申請内容通知画面７０１には、会員Ａから会員Ｂへのメッセージや、商品情報（商品名、商品画像、金額など）が含まれる。また、図７では、申請内容として１つの商品情報を示したが、複数の商品情報を一覧形式で含んでもよい。
【００４０】
会員Ｂは、端末１０６を利用して、電子メールに記述されたＵＲＬにアクセスすることで申請内容通知画面７０１を表示させ、承認ボタン７０４または不承認ボタン７０５を押下することで、商品購入の申請を承認するか否かを登録する。会員Ｂによる承認結果は、申請内容ＤＢ２１２に記録され、申請内容のステータスが、「承認」または「不承認」として更新される。
【００４１】
次いで、ステップＳ４０５において、承認結果判定部２０５が、申請内容ＤＢ２１２に記録された承認結果を判定する。申請が承認された場合は、ステップＳ４０７に進み、申請が不承認だった場合は、ステップＳ４０９に進む。ステップＳ４０９では、承認結果判定部２０５は、申請者である会員Ａに対して、申請が却下された旨を通知する。なお、会員Ａへの通知は、電子メールを利用してもよいし、電子ショッピングモールを介して通知してもよい。
【００４２】
一方、申請が承認された場合は、ステップＳ４０７において、決済処理部２０６が、被申請者である会員Ｂのクレジットカードのオーソリ処理を行い、決済処理を行う。本発明では、会員Ａによって申請された商品の代金を、会員Ａに紐付られた会員Ｂのクレジットカードで決済するので、会員Ｂのクレジットカードのオーソリ処理を行う。クレジットカードのオーソリ処理は、例えば、会員Ｂが端末１０６を利用して、クレジットカード番号及びセキュリティコードを入力することによって行なわれる。セキュリティコードとは、クレジットカードの裏面または表面に記載された３桁もしくは４桁の番号である。決済システム１０４は、オーソリのために入力された情報を、オーソリシステム１０５に送信し、オーソリシステム１０５からオーソリ結果を受信する。会員Ｂのオーソリ結果に問題がなければ、会員Ｂのクレジットカードで決済処理を行い、ステップＳ４１１に進む。なお、オーソリ結果に問題があった場合（オーソリ不承認）、申請は決済待ち状態となる。
【００４３】
次いで、ステップＳ４１１において、注文情報送信部２０７は、承認された申請内容に基づいて、販売店（加盟店端末）へ商品の注文情報を送信する。本発明では、代金の決済は会員Ｂのクレジットカードで行なわれるが、商品の注文情報には、商品の送付先として会員Ａの指定送付先が含まれる。注文情報を受信した販売店は、会員Ａへの商品の発送を行ない、決済システム１０４へ発送情報を送信する。
【００４４】
次いで、ステップＳ４１３において、発送情報受信部２０９が、販売店（加盟店端末）から商品の発送情報を受信し、会員Ａ及び会員Ｂに商品の発送情報を送信する。会員Ａ及び会員Ｂに対する通知は、電子メールを利用してもよいし、電子ショッピングモールを介して通知してもよい。
【００４５】
以上、本発明の一実施形態に係るクレジットカードを利用した決済方法について説明したが、本発明による決済方法はこれに限定されるものではない。
【００４６】
上述したように、本発明によると、仕送りを行なう親と、大学生である子供のニーズに対処可能なクレジットカードを利用した決済システム、決済方法及びプログラムを提供することができる。したがって、若年層である大学生や、その親に対して自社のクレジットカードを有効にアピールすることでき、クレジットカードの会員獲得を図ることができる。
【００４７】
上述した実施形態では、若年層である大学生とその親を想定して本発明を説明したが、クレジットカードの利用に不安のある年老いた親を申請者とし、自ら生計を立てられるようになった子供を被申請者として紐付け、本発明を利用してもよい。
【符号の説明】
【００４８】
１０１  端末
１０２  ネットワーク
１０３  ＷＥＢサーバ
１０４  決済システム
１０５  オーソリシステム
１０６  端末
１０７、１０８、１０９  加盟店端末
１１０  ネットワーク
【図１】
0006321564.tif 000002
【図２】
0006321564.tif 000003
【図３】
0006321564.tif 000004
【図４】
0006321564.tif 000005
【図５】
0006321564.tif 000006
【図６】
0006321564.tif 000007
【図７】
0006321564.tif 000008